(57)【要約】【課題】メンテナンス時に下部ガイドレール１６からの簡単に取り外すことができ、取り外した引き戸１３の移動も容易で、かつ横風を受けた場合でも円滑に開閉できる吊り下げ式引き戸の振れ止め構造を提供すること。【解決手段】上部ガイドレール１１に沿って開閉可能に同レールから吊り下げた戸本体１３の下端部にローラ３３を下部ガイドレール１６のガイド溝１６ａに遊嵌する突出位置とガイド溝１６ａから外れる倒伏位置との間で回動可能に組み付ける。突出位置ではローラ３３がガイド溝１６ａに遊嵌して、戸本体１３の内外方向の振れを防止できる。一方、突出位置から倒伏位置へローラ３３を回動させると、ローラ３３がガイド溝１６ａから外れるので、戸本体１３を持ち上げなくてもガイド溝１６ａから取り外すことができる。横風等によってローラ３３がガイド溝１６ａに接触してもローラ３３の回転により戸本体１３は円滑に開閉できる。【選択図】図４
2007321445.tif 000002
【特許請求の範囲】
【請求項１】
戸本体を上部ガイドレールに沿って開閉可能に同レールから吊り下げ、戸本体の開閉時の振れを防止するための振れ止め部材を戸本体下端部に取り付け、該振れ止め部材を床面に敷設した下部ガイドレールのガイド溝に遊嵌した吊り下げ式引き戸の振れ止め構造であって、前記振れ止め部材を、前記戸本体の下端部から下方に突出して前記ガイド溝に遊嵌する突出位置と前記戸本体の下端部に倒伏して前記ガイド溝に遊嵌する面積を前記突出位置に比して下げる倒伏位置との間で回動可能に戸本体に組み付けたことを特徴とする吊り下げ式引き戸の振れ止め構造。
【請求項２】
前記振れ止め部材が前記倒伏位置において前記ガイド溝から外れるように構成したことを特徴とする請求項１に記載の吊り下げ式引き戸の振れ止め構造。
【請求項３】
前記振れ止め部材がローラを有し、前記倒伏位置においてローラの回転軸心が前記戸本体の開閉方向と略平行になるように前記振れ止め部材を前記戸本体に取り付けたことを特徴とする請求項２に記載の吊り下げ式引き戸の振れ止め構造。
【請求項４】
前記振れ止め部材は前記突出位置と前記倒伏位置との間で略垂直に街道するものであって、前記ローラは前記突出位置においてその回転軸心が前記開閉方向に対して略垂直になるように構成したことを特徴とする請求項３に記載の吊り下げ式引き戸の振れ止め構造。
【発明の詳細な説明】
【技術分野】
【０００１】
本発明は、吊り下げ式引き戸の振れ止め構造に関する。
【背景技術】
【０００２】
この種の振れ止め構造の一形式として、特開２００２−１３８７３９号には、戸車で戸本体を上部ガイドレールに吊り下げた引き戸が記載されている。この引き戸は戸本体の下端面に形成した逆Ｕ字形のガイド溝と、このガイド溝に遊嵌する振れ止め部材を上向きに凸設した下部ガイドレールからなる振れ止め構造を備えている。
【０００３】
また、下部ガイドレールにガイド溝を形成し、戸本体の下端部に、このガイド溝に遊嵌する振れ止め部材を垂設した振れ止め構造を備えた引き戸も実用に供されている。
【０００４】
上述した従来の振れ止め構造によれば、戸本体の開閉時に戸の内外方向（開閉方向と直交する方向）の振れが振れ止め部材とガイド溝との係合により防止できる。
【特許文献１】特開２００２−１３８７３９号公報
【発明の開示】
【発明が解決しようとする課題】
【０００５】
従来の吊り下げ式引き戸の振れ止め構造では、引き戸をメンテナンスのために下部ガイドレールから取り外すとき、振れ止め部材がガイド溝から外れるまで高く引き戸本体を持ち上げる必要がある。
【０００６】
しかし、例えばビルの入口に設置されるような吊り下げ式引き戸は重量が相当大きいためメンテナンス時の引き戸持ち上げ作業は甚だ困難な作業となる。
【０００７】
本発明は係る問題点に鑑み、メンテナンス時に下部ガイドレールからの取り外し作業が容易な吊り下げ式引き戸の振れ止め構造を提供することを目的とする。
【課題を解決するための手段】
【０００８】
上記目的を達成するため請求項１に記載の発明は、戸本体を上部ガイドレールに沿って開閉可能に同レールから吊り下げ、戸本体の開閉時の振れを防止するための振れ止め部材を戸本体下端部に取り付け、該振れ止め部材を床面に敷設した下部ガイドレールのガイド溝に遊嵌した吊り下げ式引き戸の振れ止め構造であって、前記振れ止め部材を、前記戸本体の下端部から下方に突出して前記ガイド溝に遊嵌する突出位置と前記戸本体の下端部に倒伏して前記ガイド溝に遊嵌する面積を前記突出位置に比して下げる倒伏位置との間で回動可能に戸本体に組み付けたことを特徴とする。
【０００９】
請求項２に記載の発明は、請求項１に記載の吊り下げ式引き戸の振れ止め構造において、前記振れ止め部材が前記倒伏位置において前記ガイド溝から外れるように構成したことを特徴とする。
【００１０】
請求項３に記載の発明は、前記振れ止め部材がローラを有し、前記倒伏位置においてローラの回転軸心が前記戸本体の開閉方向と略平行になるように前記振れ止め部材を前記戸本体に取り付けたことを特徴とする。
【００１１】
請求項４に記載の発明は、前記振れ止め部材は前記突出位置と前記倒伏位置との間で略垂直に街道するものであって、前記ローラは前記突出位置においてその回転軸心が前記開閉方向に対して略垂直になるように構成したことを特徴とする。
【発明の効果】
【００１２】
請求項１に記載の発明によれば、突出位置では振れ止め部材がガイド溝に遊嵌するので、振れ止め部材とガイド溝との係合により戸本体の内外方向の振れを防止できる。
【００１３】
一方、突出位置から倒伏位置へ振れ止め部材を回動させると、ガイド部材のガイド溝との遊嵌面積が下がるのでガイド溝から取り外し易くなる。従って、面倒な戸本体の取り外し作業が容易になる。
【００１４】
請求項２に記載の発明によれば、突出位置から倒伏位置へ振れ止め部材を回動させると、振れ止め部材がガイド溝から外れるので、戸本体を持ち上げなくても下部ガイドレールのガイド溝から取り外すことができる。このため面倒な戸本体の取り外し作業がより一層容易になる
【００１５】
請求項３に記載の発明によれば、ローラを倒伏位置へ回動してガイド溝から外すと、ローラはその回転軸心が戸の開閉方向に沿うように設定される。そのため戸本体を床に立てかけ、戸の開閉方向に直交する方向すなわち戸の内外方向へ戸本体を移動させると、ローラが床に接触して回転し、回転するローラによって戸本体の重量が支持される。従って、戸本体の内外方向への移動時に戸本体を床から持ち上げて浮かす必要がないので、戸本体の内外方向への移動作業が容易になる。
【００１６】
請求項４に記載の発明によれば、突出位置ではローラがガイド溝に遊嵌するので、横風等によってローラがガイド溝に接触してもローラの回転によりガイド溝と振れ止め部材間の摩擦抵抗の増大を抑制できる。このため、常に円滑な戸本体の開閉動作を確保できる。
【実施例１】
【００１７】
以下に本発明を添付図面に基づき説明する。図１は本発明の一実施例に係る振れ止め構造を備えた吊り下げ式引き戸を示す正面図、図２は図１の２−２線から切断した部分断面図、図３は図１の３−３線から切断した部分断面図である。
【００１８】
当該振れ止め構造は、上部ガイドレール１１、上部ガイドレール１１に前後２個の戸車１２で吊り下げた戸本体１３、戸本体１３の下端部の前後２箇所に設けた振れ止め機構１４、及び床１５に敷設した下部ガイドレール１６を備えている。
【００１９】
図２に拡大して図示するように、戸本体１３の上端部にはボルト２１でＬ字形の第１部ブラケット２２が固定され、第１ブラケット２２に第２ブラケット２３が固着されている。そして、第２ブラケット２３に戸車１２が回転軸２４によって回転可能に組み付けられている。一方、建物本体の壁面１７に上部ガイドレール１１が固定され、該ガイドレール１１に戸車１２が転動可能に掛合している。このようにして、戸本体１３は上部ガイドレール１２に沿って開閉可能に上部ガイドレール１１から戸車１２によって吊り下げられている。
【００２０】
次ぎに、図３〜図６に振れ止め機構１４の詳細を示す。当該振れ止め機構１４はベースブラケット３１、ブロック３２、ローラ３３及び支持軸３４を備えている。ベースブラケット３１には前後２箇所に通孔３１ａが形成されている。また、ベースブラケット３１の中央部両側に取付片３１ｂが一体に垂設され、各取付片３１ｂに通孔３１ｃが形成されている。
【００２１】
ブロック３２は一側面にネジ穴３２ａが形成され、他側面のネジ穴３２ａに対向する位置に突起３２ｂが一体形成されている。ブロック３２は突起３２ｂを一方の取付片３１ｂの通孔３１ｃに嵌合し、他方の取付片３１ｂの通孔３１ｃから回り止めビス３５をネジ穴３２ａにねじ込み、回り止めビスの頭部にキャップ３６を被せてベースブラケット３１に組み付けられている。ブロック３２は回り止めビス３５を外すことにより突起３２ｂを中心にして回動させることができる。また、ブロック３２の上端部に支持片３２ｃが一体に凸設されている。ブロック３２の下端部にはローラ３３の直径より幅の狭い足片３２ｄが一体に設けられ、足片３２ｄの下端部に支持片３２ｅが一体に凸設されている。そして、各支持片３２ｃ，３２ｅに通孔３２ｆ，３２ｇが形成されている。
【００２２】
ローラ３３には中心孔３３ａが形成されている。この中心孔３３ａに支持軸３４を挿通し、支持軸３４の上下両端部をそれぞれ支持片３２ｃ，３２ｅの通孔３２ｆ，３２ｇに係合することにより、ローラ３３がブロック３２に回転可能に組み付けられている。
【００２３】
振れ止め機構１４の構造は以上の通りであって、ベースブラケット３１の通孔３１ａにビス３７を通し、このビス３７で振れ止め機構１４が戸本体１３の下端フレーム１３ａに固定されている。図１に示すように、引き戸１３が上部ガイドレール１１から吊り下げられている通常時、ブロック３２は図３及び図４に示す突出位置に回り止めビス３５で固定されている。一方、下部ガイドレールには断面Ｕ字形のガイド溝１６が形成されている。ブロック３２が突出位置に固定されているとき、ローラ３３は下端フレーム１３ａから垂下し、ローラ３３の略下半分とブロック３２の足片３２ｄが下部ガイドレール１６のガイド溝１６ａに遊嵌している。
【００２４】
上部ガイドレール１１から吊り下げられた戸本体１３に横風等の横方向（内外方向）の力が作用しない限り、ローラ３３及びローラ３３より幅の狭い足片３２ｄはガイド溝１６ａの両側面に接触しない。従って戸本体１３を前後（左右）方向に開閉するとき、戸本体１３と下部ガイドレール１６間に摩擦抵抗は生じない。
【００２５】
戸本体１３に横方向の力が作用し、戸本体１３下端部が内外方向に僅かに傾斜すると、ローラ３３がガイド溝１６ａの側面に接触する。しかし、戸本体１３を開閉するとローラ３３がガイド溝１６ａの側面に接触して回転するので、ローラ３３とガイドレール間に摩擦抵抗の増大を来すことなく、戸本体１３は円滑に開閉できる。
【００２６】
次に、メンテナンスのために戸本体１３を下部ガイドレール１６から取り外すには、戸本体１３を上部ガイドレール１１から吊り下げたままで回り止めビス３５を緩める。そして、図７及び図８に示すようにブロック３２をベースブラケット３１に倒伏するまで回動させ、再び回り止めビス３５を締め付けて倒伏位置に固定する。ブロック３２が倒伏位置に固定されると、ローラ３３も戸本体１３の下端フレーム１３ａに倒伏し、下部ガイドレール１６のガイド溝１６ａから外れる。このため、戸本体１３を下部ガイドレール１６から取り外すに際し、戸本体１３を持ち上げることなく外すことができる。
【００２７】
次に、上下のガイドレール１１，１６から取り外した戸本体１３を移動させるには、戸本体１３を床１５に立ててローラ３３を床１５に接触させる。倒伏位置にあるローラ３３はその回転軸心が戸本体１３の開閉方向に沿って延びているので、戸本体１３の開閉方向に直交する方向すなわち戸の内外方向へ戸本体１３を移動させると、床１５に接触しているローラ３３が回転し、回転する２個のローラ３３によって戸本体１３の重量が支持される。このため、戸本体１３の内外方向への移動時に戸本体１３を床１５から持ち上げて浮かす必要がなく、戸本体１３の移動作業が容易になる。
【００２８】
なお、本実施例におけるブロック３２は倒伏時に固定できれば、倒伏位置に対して必ずしも垂直位置になるまで回転させる必要はなく、例えば使用時にブロック３２の重力によって下方へ回転させ、回動中心位置からドアの開閉方向であって下方向（中心軸から斜め下方向）に突出した状態で固定してもよい。
【００２９】
また、本実施例では突出位置においてブロック３２がガイド溝１６ａの内壁と非接触状態となるように構成したが、ガイド溝の内壁若しくは底面と接触するように構成してもよい。但し、非接触である方が引き戸開閉時の摩擦がすくなく、望ましい。
【００３０】
さらに、本実施例ではブロック３２及びローラ３３が倒伏時ガイド溝１６ａから全面積が外れるように構成したが、必ずしも全面積が外れなくてもよい。もっとも全面積が外れる方が、引き戸の持ち上げ高さが低く望ましい。
【００３１】
さらにまた、ブロック３２に設けるローラ３３の数を複数にすることも可能である。
【００３２】
なお、本発明に係る吊り下げ式引き戸の振れ止め構造は、家屋内の引き戸に用いることも可能であるが、屋外用引き戸に用いることが望ましい。屋外用引き戸は屋内用引き戸に比して風雨に晒されるため、横揺れを防ぐべく頑強な構造にする必要性が高い。そのため、屋外用の引き戸の重量は屋内用に比べて重く、取り外し時に持ち上げることが困難であるからである。
【００３３】
また、本発明は手動式の吊り下げ式引き戸に適用できるのはもちろん、リニアモータ駆動式等の自動引き戸に適用することも可能である。
【図面の簡単な説明】
【００３４】
【図１】本発明の実施例に係る振れ止め構造を備えた吊り下げ式引き戸を示す正面図である。
【図２】図１の２−２線から切断した部分拡大断面図である。
【図３】図１の３−３線から切断した部分拡大断面図である。
【図４】本発明の実施例に係る振れ止め構造の振れ止め機構を示す正面図である。
【図５】同振れ止め機構を示す斜視図である。
【図６】同振れ止め機構を示す分解斜視図である。
【図７】ローラが倒伏位置にある同振れ止め機構を示す部分拡大断面図である。
【図８】ローラが倒伏位置にある同振れ止め機構を示す正面図である。
【符号の説明】
【００３５】
１１…上部ガイドレール、
１２…戸車、
１３…戸本体、
１４…振れ止め機構、
１６…下部ガイドレール、
１６ａ…ガイド溝、
３３…ローラ、
【図１】
2007321445.tif 000003
【図２】
2007321445.tif 000004
【図３】
2007321445.tif 000005
【図４】
2007321445.tif 000006
【図５】
2007321445.tif 000007
【図６】
2007321445.tif 000008
【図７】
2007321445.tif 000009
【図８】
2007321445.tif 000010